(57)【要約】【課題】夜間などの暗い環境下においても、自己発光することで視認できる発光装置を備えた安全帯を提供する。【解決手段】身体に装着する人体ベルトと、係止物と身体とを連結するランヤードと、ランヤード連結環を設けた安全帯において、発光部３と光源部２とからなる発光装置１を備えた安全帯。発光部３は、先端から入光すると全長に亘って発光するファイバー３１と光透過材３３から構成され、光源部２はＬＥＤ２１とバッテリー２３とから構成され、発光部３は人体ベルトに縫着して取り付け、光源部２は人体ベルトに着脱自在に取り付け、発光部３の出光コネクター２５と光源部２の入光コネクター３５を接続することでファイバー３１が発光することで夜間や暗所でも視認できる発光装置を備えた安全帯。【選択図】図２
2015223292.tif 000002
【特許請求の範囲】
【請求項１】
身体に装着する人体ベルトと、
係止物と身体とを連結するランヤードと、
前記人体ベルトに前記ランヤードを連結するランヤード連結環を設けた安全帯において、
前記安全帯は、発光部と光源部とからなる発光装置を備えており、
前記発光部は、先端から入光すると全長にわたり発光するファイバーと光透過材と入光コネクターから構成され、
前記ファイバーを前記光透過材で覆い、
前記ランヤード連結環の機能を阻害しない状態で前記人体ベルトに前記光透過材を縫着し、
前記光源部は、ＬＥＤとバッテリーと出光コネクターとスイッチから構成され、
前記人体ベルトに前記光源部を着脱自在に取り付け、
前記発光部の入光コネクターと前記光源部の出光コネクターを接続することでファイバーが発光を可能とすることを特徴とする発光装置を備えた安全帯。
【請求項２】
前記人体ベルトは、肩掛けベルトと、腿掛けベルトと、前記肩掛けベルトと前記腿掛けベルトと身体との間で接触を和らげる為のパッドと、から構成され、前記パッドに前記発光部の光透過材を縫着したことを特徴とする請求項１に記載の発光装置を備えた安全帯。
【請求項３】
前記人体ベルトは、肩掛けベルトと、腿掛けベルトと、から構成され、前記人体ベルトに前記発光部の光透過材を縫着したことを特徴とする請求項１に記載の発光装置を備えた安全帯。
【請求項４】
前記人体ベルトは、身体の胴回りを巻き回しする胴ベルトと、前記胴ベルトと身体との接触を和らげるためのパッドから構成され、前記パットに前記発光部の光透過材を縫着したことを特徴とする請求項１に記載の発光装置を備えた安全帯。
【請求項５】
前記人体ベルトは、身体の胴回りを巻き回しする胴ベルトから構成され、前記人体ベルトに前記発光部の光透過材を縫着したことを特徴とする請求項１に記載の発光装置を備えた安全帯。
【請求項６】
前記発光部は、前記ファイバーの両端、または一端にコネクターを設け、発光部としたことを特徴とする請求項１から請求項５に記載の発光装置を備えた安全帯。
【発明の詳細な説明】
【技術分野】
【０００１】
本発明は、夜間などの暗い環境下において遠くからも視認できる発光装置を備えた安全帯に係るものである。
【背景技術】
【０００２】
高所作業をする際、作業者は墜落防止用の胴ベルト型安全帯若しくはハーネス型安全帯を装着しているが、作業時間帯や作業現場によっては夜間や暗所で行わなければならない場合がある。その際、作業員の行動や位置が現場監督者や他の作業員から認識することが困難となる為、作業員の状況を把握し辛く、作業の連携が悪くなったり、不安全行動の喚起警告が遅れたりして、作業工程管理や安全管理に差し障りがある。
【０００３】
このことを解消するために、夜間や暗所でも視認できる視認具が提案され、特許文献１に示すような、外部の光で反射するベルト取付反射パッドを胴ベルト型安全帯の胴ベルトやハーネス型安全帯の肩掛けベルト、若しくは腿掛けベルトに取り付けて対応する手法がある。
また、作業者は、特許文献２に示すような、自己発光する複数個のＬＥＤを取り付けた安全ベストを胴ベルト型安全帯やハーネス型安全帯の上に装着する手法がある。
【０００４】
このように、夜間や暗所での高所作業において、作業者は、ベルトにベルト取付反射パッドを取り付けて使用したり、安全ベストと墜落防止用安全帯２つの商品を着用して対応していた。
【先行技術文献】
【特許文献】
【０００５】
【特許文献１】実用新案登録第３１６６６８５号
【特許文献２】特開平９−２０９２０４号
【発明の概要】
【発明が解決しようとする課題】
【０００６】
特許文献１のベルト取付反射パッドは、面ファスナーを用いて胴ベルト型安全帯やハーネス型安全帯のベルト部分に簡単に取り付けて使用できるのであるが、このベルト取付反射パッドは、外部からの光が遮断された場所では光を反射できず、光が弱い場所では反射パッドの反射光も弱くなり、作業者の存在を認識し難いという問題が発生していた。
【０００７】
特許文献２のＬＥＤを取り付けた安全ベストでは、ＬＥＤは自己発光するので、外部からの光が遮断された場所や外部からの光が弱い場所においても、周囲からの視認も可能となって、作業者の存在を確認しやすいものである。
しかしながら、高所作業において使用するには、作業者はハーネス型安全帯と安全ベストと、目的の違う二つの用具を装着することとなり、装着感はよくない。
また、安全ベストの形状によっては、ハーネス型安全帯の背中部分に配置しているランヤード連結環を覆ってしまう。その結果、ランヤードの取付け、取り外し等が困難となり、安全帯の機能を阻害してしまうこともあった。
【０００８】
胴ベルト型安全帯の上に安全ベストを装着する場合もハーネス型安全帯の時と同様に、作業者は胴ベルトと安全ベストと目的の違う二つの用具を着用することとなり、装着感はよくない。
また、安全ベストの帯部すなわち作業者の胴回りを固定する締付ベルトは、胴ベルト型安全帯の胴ベルトの上に被さってしまうので、ランヤード連結環は安全ベストによって隠れてしまうこととなり、安全帯の機能を阻害してしまうこともあった。
【０００９】
また、安全ベストは、電源部とＬＥＤが一体化している構造なので、安全ベストが汚れたとしても、電源部は安全ベストから分離できず、更に、回路は防滴ではあるが、耐水性能を保有していないので、安全ベスト表面の汚れを落とすだけであり、洗濯することはできない構造となっている。
【００１０】
本発明は、上記の課題に鑑みてなされたものであって、安全帯の機能を阻害しないで自己発光し、光源部を取り外すことによって洗濯ができる発光装置を備えた安全帯を提供することをその目的とする。
【課題を解決するための手段】
【００１１】
本発明は、身体に装着する人体ベルトＸと、係止物と身体とを連結するランヤードＹと、人体ベルトＸのランヤードＹを連結するランヤード連結環とを設け、発光部と光源部からなる発光装置を備えた安全帯である。
発光部は、先端から入光すると全長にわたり発光するファイバーと、光透過材と、入光コネクターとから構成され、このファイバーを光透過材で覆い、ランヤード連結環の機能を阻害しない状態で、光透過材を人体ベルトＸに縫着する。
光源部は、ＬＥＤと、ＬＥＤ用のバッテリーと、出光コネクターと、スイッチとから構成され、人体ベルトＸに着脱自在に取り付ける。
この光源部の出光コネクターと発光部の入光コネクターを接続して、光源部のスイッチを入れることによりファイバーが発光する発光装置を備えた安全帯を発明した。
【００１２】
請求項２の発明の発光装置を備えた安全帯は、人体ベルトＸが肩掛けベルトと、腿掛けベルトと、パッドから構成されたハーネス型安全帯であり、パッドに発光装置が取り付けられている。
【００１３】
請求項３の発明の発光装置を備えた安全帯は、人体ベルトＸが肩掛けベルトと腿掛けベルトから構成されたハーネス型安全帯であり、肩掛けベルト若しくは腿掛けベルトに発光装置を取り付けられている。
【００１４】
請求項４の発明の発光装置を備えた安全帯は、人体ベルトＸが身体の胴回りを巻き回しする胴ベルトとパッドとから構成された胴ベルト型安全帯であり、パッドに発光装置が取り付けられている。
【００１５】
請求項５の発明の発光装置を備えた安全帯は、人体ベルトＸが身体の胴回りを巻き回しする胴ベルトから構成された胴ベルト型安全帯であり、胴ベルトに発光装置が取り付けられている。
【００１６】
請求項６の発明は、ファイバーへ入光するコネクターを、ファイバーの一端、または両端に取り付けて発光部としたものである。
【発明の効果】
【００１７】
本発明の発光装置を備えた安全帯は、安全帯に自己発光する発光装置を取り付けていることから、安全帯の機能を阻害することなく夜間や暗所でも視認できる。また、発光装置の光源部を取り外すことで洗濯も可能となる。
【図面の簡単な説明】
【００１８】
【図１】本発明の第１実施例である、パッド５に発光装置１を設けたハーネス型安全帯６のパッド５の正面図である。
【図２】図１のＡ部の拡大図面である。
【図３】図１のＢ−Ｂ断面図である。
【図４】本発明の第１実施例である、パッド５に発光装置１を設けたハーネス型安全帯の正面図である。
【図５】本発明の光源部２と発光部３の概略図面である。
【図６】本発明の第２実施例である、背当てベルト６６に発光装置１を設けたハーネス型安全帯６’の正面図である。
【図７】図６のＣ部の拡大図である。
【図８】本発明の第３実施例である、パッド７に発光装置１を設けた胴ベルト型安全帯８の正面図である。
【図９】発光部３を人体ベルトＸに縫着する他の方法１を示す説明図である。
【図１０】発光部３を人体ベルトＸに縫着する他の方法２を示す説明図である。
【発明を実施するための形態】
【００１９】
以下、本発明の実施形態を図面に基づき詳細に説明する。図１から図４は、発光装置１を取り付けた安全帯の第１実施例を示す。
図６と図７は、発光装置１を取り付けた安全帯の第２実施例を示す。
図８は、発光装置１を取り付けた安全帯の第３実施例を示す。
【００２０】
発光装置１は、図１および図２（図１のＡ部の拡大図）に示すように、光源部２と発光部３とから構成される。
まず、光源部２と発光部３の構造について説明する。
【００２１】
光源部２は、図５に示すように、ＬＥＤ２１と、ＬＥＤ２１に電力を供給するバッテリー２３と、スイッチ２４と、出光コネクター２５と、給電線２６と、収納ケース２８とから構成される。
このＬＥＤ２１は、給電線２６でバッテリー２３と連結し、その間にスイッチ２４を設ける。また、ＬＥＤ２１の発光点２１ａから出た光は出光コネクター２５に集光できるように、ＬＥＤ２１と出光コネクター２５を収納ケース２８に組み込む。
スイッチ２４を入れるとＬＥＤ２１で発生した光は、出光コネクター２５を通過して外部に出ていく。
【００２２】
発光部３は、ファイバー３１と光透過材３３と入光コネクター３５とから構成されている。
ファイバー３１は、特殊プラスチック製の細い線条であり、その表面を荒らすことで、先端から光を入れると全長に亘って均一に光るものである。入光は、一端だけでなく両端からも可能である。ファイバー３１の両端から入光する場合は、一端から入光するより発光量は多くなる。本実施例では、ファイバー３１は、両端から入光する構造としている。
ファイバー３１は、太さが０．２ミリから３．０ミリであり、発光時は熱をもたない。また、折り曲げにも強いので、例えば、ファイバー３１を安全帯のパッドに取り付けた状態でも、パッドを洗濯することが可能である。
【００２３】
光透過材３３は、ファイバー３１が発光した光を透過できる材料、例えば、ポリ塩化ビニールを使用する。ファイバー３１は、この光透過材３３で覆った状態で安全帯の必要箇所に縫着する。詳細については、後で記載する。
入光コネクター３５は、光源部２の出光コネクター２５に嵌合させて光を入光できる構造とする。
【００２４】
図５に示すように、発光部３の入光コネクター３５を光源部２の出光コネクター２５に嵌合させることによって、光源部２で発生させたＬＥＤ２１の光は出光コネクター２５と入光コネクター３５を通ってファイバー３１の端部に達する。この光でファイバー３１は全長に亘って発光する。
また、図示しないが、光源部２にスイッチ２４を設けないで常時ＬＥＤ２１を発光させ、出光コネクター２５と入光コネクター３５を嵌合させることでファイバー３１を発光させることも可能である。
【００２５】
（第１実施例）
本発明の第１実施例の安全帯は人体ベルトＸとランヤードＹからなり、人体ベルトＸは、図４に示すように、肩掛けベルト６３と、腿掛けベルト６４と、ランヤード連結環６１と、パッド５とから構成されたハーネス型安全帯６で、発光装置１は、このパッド５に取り付けることができる。
パッド５は、肩掛けベルト６３と人体との接触を和らげる為のものであり、肩掛けベルト６３の背中での交差部分から両肩部まで連続した形状で、面ファスナー５６で肩掛けベルト６３に取り付けられる構造である。
図１に示すように、面ファスナー５６は、オスの面ファスナー５６ａと、メスの面ファスナー５６ｂとから構成される。また、図１の右側半分の面ファスナー５６ａと５６ｂは、ベルトに取り付ける前の状態を示し、左側半分の面ファスナー５６は、ベルトに取り付けた状態を示している。
パッド５は、図３（図１のＢ−Ｂ断面図）に示すように、人体側の裏生地５２と、クッション材５１と、肩掛けベルト６３側の表生地５３と、縁取りテープ５４と、から構成され、クッション材５１を裏生地５２と表生地５３で挟み込み、縁取りテープ５４で外周を縫着して形成している。
【００２６】
図２（図１のＡ部拡大図）に示すように、パッド５の表生地５３には、光源部２の収納ケース２８を入れることができる大きさの収納ポケット５７が設けられている。この収納ポケット５７は、その上方の一辺近傍とパッド５の表生地５３とに収納ポケット開閉用面ファスナー５７２のオス、メスをそれぞれ縫製して開閉自在とし、下方に発光部３の入光コネクター３５が通る大きさのコネクター孔５７１を設けている。
【００２７】
図３に示すように、光透過材３３は、ファイバー３１が挿入できる大きさのファイバー孔３３１と、取付片３３３を有するチューブ状の成型品である。その光透過材３３のファイバー孔３３１にファイバー３１を挿通し、取付片３３３をパッド５の表生地５３と縁取りテープ５４で挟み込むようにする。その状態で、図１に示すように、光透過材３３をパッド５の外周に沿うように表生地５３に縫着する。
このように発光部３をパッド５の外周に縫着すると、パッド５を肩掛けベルト６３に取り付けた際、ファイバー３１は肩掛けベルト６３と重なることがないので、視認性が確保できる。また、パッド５は肩掛けベルト６３と人体との間に位置する構造なので、ランヤード連結環６１はパッド５で覆われることはない。したがって、安全帯の機能を阻害することはなく、視認性も確保される。
尚、図１および図２に示すファイバー３１は、光透過材３３に覆われた状態でパッド５に取り付けられているので破線で図示すべきであるが、ファイバー３１の取付位置を認識できるように実線で図示した。以下の図面においても同様である。
【００２８】
（第２実施例）
本発明の第２実施例の安全帯は、図６に示すように、人体ベルトＸが肩掛けベルト６３’と、腿掛けベルト６４’と、ランヤード連結環６１と、背中部分で交差した肩掛けベルト６３’の交差部分の下部に位置して肩掛けベルト６３’の形状を保持するための背当てベルト６６とから構成されたハーネス型安全帯６’であり、発光装置１はこの背当てベルト６６に取り付けられている。
【００２９】
図７（Ｃ部の拡大図）に示すように、この背当てベルト６６の中央付近には、光源部２の収納ケース２８を入れることができる大きさの収納ポケット６７’を設ける。この収納ポケット６７’は、第１実施例と同様に、その上方の一辺近傍と背当てベルト６６とに収納ポケット開閉用面ファスナー５７２’のオス、メスをそれぞれ縫製して開閉自在とし、下方に発光部３の入光コネクター３５が通る大きさのコネクター孔５７１’を設けてある。
第１実施例と同様、光透過材３３のファイバー孔３３１にファイバー３１を挿通し、取付片３３３を背当てベルト６６の外周に沿うように縫着する。
図６に示すように、発光部３を背当てベルト６６に縫着すると、肩掛けベルト６３’の背中の交差部分に取り付けているランヤード連結環６１と重なることはない。したがって、安全帯の機能を阻害することはなく、視認性も確保できる。
また、図示しないが、ファイバー３１は背当てベルト６６の外周ではなく、背当てベルト６６の中央部に縫着してもよい。
また、図示しないが、背当てベルトがなく、肩掛けベルトと腿掛けベルトからなるハーネス型安全帯では、そのベルトに光源部を取り付け、発光部をベルトに縫着してもよい。
【００３０】
（第３実施例）
本発明の第３実施例の安全帯は、図８に示すように、人体ベルトＸが胴ベルト８３とパッド７とから構成された胴ベルト型安全帯８であり、発光装置１はこのパッド７に取り付けられている。このパッド７は第１実施例のパッド５と同様、胴ベルト８３と人体との接触を和らげるもの為のものであり、面ファスナー７５で胴ベルト８３に取り付けられる構造である。このパッド７の構造は図示しないが、第１実施例のパッド５と同様、人体側の裏生地とクッション材と表生地とから構成され、クッション材を裏生地と表生地で挟み込んでいる。
【００３１】
パッド７の表生地には、光源部２の収納ケース２８を入れることができる大きさの収納ポケット７７が設けられている。この収納ポケット７７は、その上方の一辺近傍とパッド７の表生地とに収納ポケット開閉用面ファスナー７７２のオス、メスをそれぞれ縫製して開閉自在とし、下方に発光部３の出光コネクター３５が通る大きさのコネクター孔７７１が設けてある。
【００３２】
第１実施例、第２実施例と同様、光透過材３３のファイバー孔３３１にファイバー３３を挿通し、取付片３３３をパッド７の外周に沿うように表生地に縫着する。
このように発光部３をパッド７に縫着すると、胴ベルト８３に取り付けているランヤード連結環８１の機能を阻害することはなく、視認性も確保できる。
【００３３】
（第４実施例）
本発明の第４実施例の安全帯は、図示しないが、胴ベルトから構成された胴ベルト型安全帯であり、発光装置１はこの胴ベルトに取り付けられている。
この胴ベルトに、光源部の収納ケースを入れることができる大きさで、上方は収納ポケット開閉用面ファスナーを設け、下方に出光コネクターが通る大きさのコネクター孔を設けた収納ポケットを着脱自在に取り付ける。
【００３４】
光透過材のファイバー孔３３１にファイバー３１を挿通し、取付片３３３を胴ベルトの外周に沿うように胴ベルトに縫着する。
このように発光部を胴ベルトに装着すると、胴ベルトのランヤード連結環の機能を阻害することはなく、視認性も確保できる。
【００３５】
また、光透過材３３はファイバー３１が発光した光を通過できる材料、例えば、ビニールシート（薄膜状の軟質シート）を使用し、図９に示すように、光透過材３３の幅方向の中央でファイバー３１を覆うような状態にし、幅方向の両端部を長さ方向に沿って、人体ベルトＸに縫着してもよい。
【００３６】
また、図１０に示すように、光透過材３３の幅方向に二つ折りにしてファイバー３１をその折込箇所に位置させ、包み込むような状態にし、幅方向の端部を長さ方向に沿って人体ベルトＸに装着してもよい。この図１０は、裏生地５２と、クッション材５１と、表生地５３と、から構成されたパッド５の表生地５３に光透過材３３を縫着した説明図である。
【００３７】
また、図示しないが、光源部を安全帯ではなく、作業服のポケット等に入れて使用できるように、光源部の出光コネクターを延伸した構造にすることも同等の効果を期待できるものである。
【符号の説明】
【００３８】
１  発光装置
２  光源部
２１  ＬＥＤ
２３  バッテリー
２４  スイッチ
２５  出光コネクター
２６  給電線
２８  収納ケース
３  発光部
３１  ファイバー
３３  光透過材
３３１  ファイバー孔
３３３  取付片
３５  入光コネクター
５  パッド
５１  クッション材
５２  裏生地
５３  表生地
５４  縁取りテープ
５６  面ファスナー
５７  収納ポケット
５７１  コネクター孔
５７２  収納ポケット開閉用面ファスナー
６  ハーネス型安全帯
６１  ランヤード連結環
６３  肩掛けベルト
６４  腿掛けベルト
６６  背当てベルト
６７  収納ポケット
７  パッド
７５  面ファスナー
７７１  コネクター孔
７７２  収納ポケット開閉用面ファスナー
８  胴ベルト型安全帯
８１  ランヤード連結環
８３  胴ベルト
Ｘ  人体ベルト
Ｙ  ランヤード
【図１】
2015223292.tif 000003
【図２】
2015223292.tif 000004
【図３】
2015223292.tif 000005
【図４】
2015223292.tif 000006
【図５】
2015223292.tif 000007
【図６】
2015223292.tif 000008
【図７】
2015223292.tif 000009
【図８】
2015223292.tif 000010
【図９】
2015223292.tif 000011
【図１０】
2015223292.tif 000012